(57)【要約】【課題】資格管理を容易に行うことができ、複数の認定資格や有資格者からの選択を容易とする。【解決手段】複数の資格認定組織が管理する認定資格を一括管理することにより、複数の認定資格の管理を容易とし、また、各認定資格者の認定資格を時系列で管理することにより、認定資格者の評価を可能な資格管理を行い、複数の有資格者からの選択を容易とする。資格認定組織が会員に対して所定の認定条件の下で認定する資格を管理する資格管理方法において、複数の資格認定組織が個別に認定する資格情報を各資格認定組織が定める会員識別情報に基づいて記憶すると共に、複数の会員識別情報に対して各会員毎に一つの管理識別情報を設定して記憶し、会員識別情報と管理識別情報との間で識別情報の交換を行うことにより、一つの管理識別情報に基づいて各資格認定組織が認定する資格情報を一括管理する。【選択図】  図１
2005018365.tif 000002
【特許請求の範囲】
【請求項１】
資格認定組織が個人又は会員に対して所定の認定条件の下で認定する資格を管理する資格管理方法において、
複数の資格認定組織が個別に認定する資格情報、及び個人又は会員に固有の個人／会員情報を、各資格認定組織が定める個人／会員識別情報に基づいて記憶すると共に、
前記複数の個人／会員識別情報に対して各個人又は会員毎に一つの管理識別情報を設定して記憶し、
前記個人／会員識別情報と管理識別情報との間で識別情報を交換することにより、一つの管理識別情報に基づいて各資格認定組織が認定する資格情報及び／又は個人／会員情報を一括管理することを特徴とする資格管理方法。
【請求項２】
前記資格情報は、現在取得している資格情報、過去に取得していた資格情報、及び取得中の資格情報を時系列で備え、
当該時系列の各資格情報間において逐次更新することを特徴とする、請求項１に記載の資格管理方法。
【請求項３】
前記個人／会員情報は、住所、氏名、当該個人又は会員が属している組織名、活動の実績、支払い／決済情報を含むことを特徴とする、請求項２に記載の資格管理方法。
【請求項４】
前記個人／会員情報は、過去及び現在の個人／会員情報を時系列で備え、当該時系列の各情報間において逐次更新することを特徴とする、請求項３に記載の資格管理方法。
【請求項５】
前記活動の実績及び／又は支払い／決済情報を、資格認定組織が資格認定審査に用いる認定条件として管理することを特徴とする、請求項３に記載の資格管理方法。
【請求項６】
前記支払い／決済情報は、審査申請料、資格取得の登録料、資格更新の更新料、認定条件となる参加費の少なくともいずれか一つの支払い／決済に関わる情報を含むことを特徴とする、請求項３乃至５の何れか一つに記載の資格管理方法。
【請求項７】
取得中の資格情報と前記認定条件に基づいて、取得すべき単位乃至単位数、活動実績、取得に要する認定施設の少なくともいずれか一つを求めることを特徴とする、請求項２に記載の資格管理方法。
【請求項８】
前記時系列の資格情報に基づいて、現在取得している認定資格、過去に取得していた認定資格、及び取得中の資格の取得単位、各資格の取得難易度及び／又は需要度を用いて、専門医の評価を求めることを特徴とする、請求項２に記載の資格管理方法。
【請求項９】
前記資格は、専門医制度に基づく認定医、専門医、指導医の少なくとも何れか一つであることを特徴とする、請求項１乃至８の何れか一つに記載の資格管理方法。
【請求項１０】
資格認定組織が個人又は会員に対して所定の認定条件の下で認定する資格を管理する資格管理システムにおいて、
情報記憶手段と、当該情報記憶手段の情報の入出力を管理する管理手段とを備え、
前記情報記憶手段は、複数の資格認定組織毎の組織情報と、各組織情報を管理するための管理情報とを記憶し、
前記組織情報は、各資格認定組織が定める個人又は会員識別情報に基づいて、各資格認定組織が個別に認定する資格情報、及び個人／会員に固有の個人／会員情報を備え、
前記管理情報は、前記複数の資格認定組織に対して各個人又は会員毎に一つの個人／会員識別情報に対して各個人又は会員に設定される一つの管理識別情報を備え、
前記管理手段は、前記情報記憶手段に対する情報の入出力制御を行う機能と、前記会員識別情報に対する管理識別情報の割り当て及び各識別情報間で変換する機能と、前記個人／会員情報を入力及び／又は変更する機能と、各組織情報から管理情報を形成する機能とを備え、
複数の会員識別情報に対して各会員毎に一つの管理識別情報を割り当て、当該管理識別情報から各資格認定組織の会員識別情報に変換し、当該会員識別情報に基づいて資格情報を管理することにより、会員に対して定められた一つの管理識別情報に基づいて、各資格認定組織が認定する資格情報及び個人／会員情報を一括管理することを特徴とする資格管理システム。
【請求項１１】
前記資格情報は、現在取得している資格情報、過去に取得していた資格情報、及び現在取得中の資格情報を時系列で備え、
当該時系列の各資格情報間において逐次更新することを特徴とする、請求項１０に記載の資格管理システム。
【請求項１２】
前記個人／会員情報は、住所、氏名、当該個人又は会員が属している組織名、活動の実績、支払い／決済情報を含むことを特徴とする、請求項１０に記載の資格管理システム。
【請求項１３】
前記個人／会員情報は、過去及び現在の個人／会員情報を時系列で備え、当該時系列の各情報間において逐次更新することを特徴とする、請求項１２に記載の資格管理システム。
【請求項１４】
前記活動の実績及び／又は支払い／決済情報を、資格認定組織が資格認定審査に用いる認定条件として管理することを特徴とする、請求項１２又は１３に記載の資格管理システム。
【請求項１５】
前記支払い／決済情報は、審査申請料、資格取得の登録料、資格更新の更新料、認定条件となる参加費の少なくともいずれか一つの支払い／決裁に関する情報を含むことを特徴とする、請求項１２乃至１４の何れか一つに記載の資格管理システム。
【請求項１６】
前記管理手段は、組織情報に基づいて、管理識別情報、各資格認定組織で共通する認定条件及び／又は共通する認定施設、資格情報の統計情報、資格及び／又は各個人又は会員の評価情報、会計情報の少なくとも何れか一つを含む管理情報を形成することを特徴とする、請求項１０に記載の資格管理システム。
【請求項１７】
前記管理手段は、
組織情報内の取得中の資格情報と、組織情報内の認定条件及び／又は管理情報内の認定条件に基づいて、取得すべき単位乃至単位数、及び／又は取得に要する認定施設を求めることを特徴とする、請求項１６に記載の資格管理システム。
【請求項１８】
前記管理手段は、前記資格情報及び／又は当該資格情報の加工情報を、直接又は仲介手段を介して端末に配信することを特徴とする、請求項１０乃至１７の何れか一つに記載の資格管理システム。
【請求項１９】
前記資格は、専門医制度に基づく認定医、専門医、指導医の少なくとも何れか一つであることを特徴とする、請求項１０乃至１８の何れか一つに記載の資格管理システム。
【発明の詳細な説明】
【０００１】
【発明の属する技術分野】
本発明は、資格認定組織が認定する資格を管理する資格管理システムに関し、特に、医療関係の団体において認定する資格、特に、専門医資格や指導医資格の管理に好適な資格管理システムに関する。
【０００２】
【従来の技術】
医療の高度化に伴い、より高い水準の医学・医療が受けられるようにするために専門医制度（認定医制度）が設けられている。この専門医制度においては、専門医となるために、医師国家試験の合格した医師免許を取得した後、専門医としての資格を取得することが定められている。この資格は、資格の重みや認定する組織によって、認定医、専門医、指導医等などの種類がある。
【０００３】
例えば、専門医の資格を取得するには、資格を有する団体（例えば、学会、財団法人、社団法人、ＮＰＯ）に申請を行い、認定委員会（認定審議会）の審査試験に合格する必要がある。さらに、この申請を行うには、定められた認定施設（研修機関）での研修や症例報告等の認定条件を満足している必要がある。また、専門医の資格を取得するには、さらに所定の研修を行い、専門医資格認定試験に合格する必要がある。また、専門医の育成を行う資格として指導医が設けられ、この指導医についても、例えば認定施設（研修機関）での勤務等を受験資格として申請を行い認定委員会の審査を受ける必要がある。また、資格取得後においても、資格維持のため資格の更新を要する場合があり、更新のための所定の更新条件が定められている。
【０００４】
これら申請条件や更新条件は、様々な方法で規定の単位（ポイント）等の取得が求められている場合が多い。例えば、研修や業績毎に単位（ポイント）が設定され、単位（ポイント）の合計が所定数を満足することにより、申請又は更新の条件が満たされる。
【０００５】
なお、これらの資格を取得するには、各認定組織に応じて、それぞれ審査及びその審査のための申請条件が求められている。これら認定組織は、学会、社団法人、財団法人等の資格を認定する団体毎に定められ、審査基準や申請条件も各団体毎に定められている。
【０００６】
従来、資格を取得するには、資格取得希望者が所属する団体の事務局等に問い合わせることにより、専門医を取得するに要する条件や認定施設（研修機関）の確認、現在取得している単位や必要単位の確認等を各自で行い、申請料を支払った後、資格取得の申請を行っている。また、各団体の事務局においては、会員である医師が取得している資格や取得中の単位を管理する他、一般の利用者に対してはネットワークを利用して認定施設（研修機関）を配信している。
【０００７】
一方、医療機関の情報開示が求められる社会状況の下で、専門医の認知の拡大と、専門医制度を利用する利用者の便宜を図るために、ネットワークを介して専門医情報を配信している団体もある。
【０００８】
なお、以上の従来技術について出願人の知得した一般的技術情報に基づいて説明したが、出願人の知る限りにおいて、出願前までに先行技術文献情報として開示すべき情報を出願人は有していない。
【０００９】
【発明が解決しようとする課題】
従来、各団体では、コンピュータやインターネットの普及に伴って、専門医の資格管理をコンピュータ処理して行い、ネットワークを利用して専門医情報を配信するなどのサービスを行っているが、これらの資格管理は各団体毎に行われるものである。そのため、資格取得希望者や有資格者が複数の資格を管理するには、各資格毎に異なる団体あるいは異なる資格認定組織との間で資格管理を行う必要がある。仮に、各専門医が一団体のみに所属し、一つの資格のみの認定を受ける場合には、一つの資格認定組織との間で資格管理を行うことで管理することができる。しかしながら、現在では医療の高度化に伴って、複数の団体に所属し、その医師が必要とする複数の認定資格を取得することが多く、このような状況において、各認定資格毎に各資格認定組織との間で個別に資格管理を行うには、資格取得希望者や有資格者にとって、管理に多大な手間や時間が必要となるという問題がある。
【００１０】
また、資格認定組織間においても、専門医を取得するに要する単位や認定施設（研修機関）の研修や認定条件を共通化することが行われている。従来、それぞれの個人／会員情報を確保しつつ、単位や研修を共通化するには、各個人や会員毎に共通化する資格認定組織が異なるため、複雑な処理が必要となるという問題がある。
【００１１】
また、専門医を利用する利用者にとっても、ネットワーク上に配信される情報は、各団体で認定された専門医に限られることが一般的である。そのため、端末によってネットワーク上にある情報を参照し、ある団体で認定された専門医を選択したとき、その専門医が他の団体で認定された専門医の資格を有しているかといった詳細情報を得るためには、さらに他の団体に問い合わせたり、再度、端末によりネットワーク上の情報を検索して専門医情報を参照しなけらばならない。また、必ずしも全ての団体が、利用者が知りたい専門医の詳細情報をネットワーク上に載せているとは限らないため、必要とする専門医を容易に選び出すことは困難であるという問題もある。
【００１２】
また、ネットワーク上に配信される専門医について表示される内容は、通常、専門医の氏名や医療機関名、その所在地等の一部の情報である場合が多く、複数の専門医の中から利用者が求める専門医を選択することは困難であり、認定資格に関するより多くの情報が求められる傾向にある。
【００１３】
従って、従来の資格管理では、資格取得希望者や有資格者、及び資格管理者にとっては、資格管理、特に複数の認定資格の管理において問題があり、また、利用者にとっては、複数の認定資格や有資格者からの選択が困難であるという問題がある。
【００１４】
そこで、本発明は前記した従来の問題点を解決し、資格管理を容易とすることを目的とし、特に、複数の認定資格や有資格者からの選択を容易に行うことを目的とする。
【００１５】
【課題を解決するための手段】
本発明は、複数の資格認定組織が管理する認定資格、資格認定審査に必要な個人情報、支払い／決済情報を一括管理することにより、複数の認定資格の管理を容易とし、また、各認定資格者の認定資格や個人情報を時系列で管理することにより、認定資格者の評価を可能な資格管理を行い、複数の有資格者からの選択を容易とする。
【００１６】
本発明は、資格管理方法及び資格管理システムの形態とすることができる。
【００１７】
本発明の資格管理方法は、資格認定組織が個人又は会員に対して所定の認定条件の下で認定する資格を管理する資格管理方法において、複数の資格認定組織が個別に認定する資格情報や個人／会員情報を、各資格認定組織が定める会員識別情報に基づいて記憶すると共に、複数の会員識別情報に対して各個人又は会員毎に一つの管理識別情報を設定して記憶し、個人／会員識別情報と管理識別情報との間で識別情報の交換を行うことにより、一つの管理識別情報に基づいて各資格認定組織が認定する資格情報や個人／会員情報を一括管理する。
【００１８】
特に、資格認定組織は、組織内で管理、利用している既存の個人／会員識別情報を活用しながら他の複数の資格認定組織に所属する個人／会員を容易に管理できるようになる。
【００１９】
ここで、認定される資格は、例えば、専門医制度に基づいて資格認定組織である各団体毎に定められる認定医、専門医、指導医等があり、この資格を認定する認定条件は、各資格認定組織毎に設定されている。
【００２０】
個人／会員識別情報は、資格認定組織の各会員を識別するために個別に設定される識別情報であり、例えば会員番号（あるいは符号又はその組み合わせ）とすることができる。また、管理識別情報は、管理を行う全ての資格認定組織の全会員を資格認定組織に係わらずに識別するために設定される識別情報であり、例えば管理番号とすることができる。管理番号は、例えば、会員番号と資格認定組織を識別する番号（あるいは符号又はその組み合わせ）との組み合わせにより形成することができる。資格認定組織に属さない個人の場合も同様な管理番号を設定することができる。
【００２１】
本発明の資格管理において、現在取得している資格情報、過去に取得していた資格情報、及び取得中の資格情報等の各資格情報を時系列で備える。これらの各資格情報は、現在取得している資格を失効したとき、過去に取得していた資格を再取得したとき、取得中の資格が認定されたとき等、資格情報に変化が生じた場合に、時系列上で配置される各資格情報の間でこれらの変化を逐次更新する。これにより、常に最新の資格情報を得ることができ、認定資格の更新時期の確認、取得中の単位の確認等を確実に行うことができるという。また、利用者にとっても、時系列の資格情報を得ることで、有資格者が現在取得している認定資格、過去に取得していた認定資格、さらには、将来取得する予定の資格等の資格情報を知ることができ、また、必要な有資格者の一般活動実績をを含む個人／会員情報も取得できるため、複数の専門医から必要な専門医を選択する際の参考とすることができる。
【００２２】
また、時系列の資格情報に基づいて、現在取得している認定資格、過去に取得していた認定資格、及び取得中の資格の取得単位、各資格の取得難易度及び／又は需要度を用いて、専門医の評価算定を行うことができる。これによれば、単に現在取得している認定資格だけでなく、過去に取得していた資格や、これから取得する資格を考慮することができるためより詳細に評価することができ、利用者にとっても、求める専門医を選定し易くなる。
【００２３】
また、本発明の資格管理では、取得中の資格情報と認定条件に基づいて、取得すべき単位やその単位数、症例報告や提出状況やその評価結果、取得に要する認定施設の情報を求める。取得中の資格情報は、時系列で管理されており常に最新の更新状態にあるため、必要とする単位数や症例報告の提出状況や取得に要する認定施設の最新の情報を得ることができる。
【００２４】
本発明の資格管理において管理する資格は、専門医制度に基づく認定医、専門医、指導医の他、同様の認定制度に基づいて設定される資格に適用することができる。
【００２５】
これらの資格情報、資格情報、個人／会員情報を用いて得られる加工情報は、直接又は仲介手段を介して端末に配信し、これらの資格認定組織に所属する個人／会員、資格認定を行う認定委員会（認定審議会）、利用者等を端末で参照することができる。
【００２６】
個人／会員情報は、住所、氏名、当該個人又は会員が属している組織名、活動の実績、支払い／決済情報を含み、過去及び現在の個人／会員情報を時系列で備え、時系列の各情報間において逐次更新することができる。ここで、活動の実績や支払い／決済情報は、資格認定組織が資格認定審査に用いる認定条件として管理する。また、支払い／決済情報は、審査申請料、資格取得の登録料、資格更新の更新料、認定条件となる大会、講習、会議等への参加費の少なくともいずれか一つを含む。
【００２７】
また、本発明の資格管理システムの形態では、資格認定組織が個人又は会員に対して所定の認定条件の下で認定する資格を管理する資格管理システムにおいて、情報記憶手段と、当該情報記憶手段の情報の入出力を管理する管理手段とを備える構成とする。
【００２８】
情報記憶手段は、複数の資格認定組織毎の組織情報と、各組織情報を管理するための管理情報とを記憶する。この組織情報は、各資格認定組織が定める個人／会員識別情報に基づいて各資格認定組織が個別に認定する資格情報や個人／会員情報を備え、また、管理情報は、複数の資格認定組織に対して各個人又は会員毎に一つの個人／会員識別情報に対して、各個人又は会員に設定される一つの管理識別情報を備える。
【００２９】
管理手段は、情報記憶手段に対する情報の入出力制御を行う機能と、会員識別情報に対する管理識別情報の割り当て及び各識別情報間で変換する機能と、個人／会員情報を入力及び／又は変更する機能と、各組織情報から管理情報を形成する機能とを備え、複数の会員識別情報に対して各会員毎に一つの管理識別情報を割り当て、割り当てた管理識別情報から各資格認定組織の会員識別情報に変換し、この会員識別情報に基づいて資格情報を管理する。これにより、会員に対して定められた一つの管理識別情報に基づいて、各資格認定組織が認定する資格情報及び個人／会員情報を一括管理することができる。
【００３０】
個人／会員識別情報は、各資格認定組織が個別に定める会員番号を用いることができる。なお、個人／会員識別情報や管理識別情報は、数字に限らず、アルファベットや文字、あるいはこれらの任意の組み合わせとすることができる。
【００３１】
なお、資格情報は、資格管理方法と同様に、現在取得している資格情報、過去に取得していた資格情報、及び現在取得中の資格情報を時系列で備え、時系列の各資格情報間において逐次更新する。
【００３２】
管理手段は、組織情報に基づいて、管理識別情報、各資格認定組織で共通する認定条件及び／又は共通する認定施設、資格情報の統計情報、資格及び／又は各個人又は会員の評価情報、会計情報の少なくとも何れか一つを含む管理情報を形成し、また、組織情報内の取得中の資格情報と、組織情報内の認定条件や管理情報内の認定条件に基づいて、取得すべき単位や単位数、取得に要する認定施設を求める。会計情報は、支払い／決済情報、支払い／決済の方法、売る上げ情報等を含む。
【００３３】
また、管理手段は、資格情報やこの資格情報から得られる加工情報を、直接又は仲介手段を介して端末に配信する。なお、仲介手段としては、各団体あるいは複数の団体を管理する管理システムや、ネットワーク上の配信サーバとすることができる。
【００３４】
また、資格管理方法と同様に、個人／会員情報は、住所、氏名、当該個人又は会員が属している組織名、活動の実績、支払い／決済情報を含み、過去及び現在の個人／会員情報を時系列で備え、時系列の各情報間において逐次更新する。活動の実績及び／又は支払い／決済情報を、資格認定組織が資格認定審査に用いる認定条件として管理する。支払い／決済情報は、審査申請料、資格取得の登録料、資格更新の更新料、認定条件となる大会、講習、会議等の参加費の少なくともいずれか一つを含む。
【００３５】
【発明の実施の形態】
以下、本発明の実施の形態について、図を参照しながら詳細に説明する。
図１は本発明の資格管理システムを説明するための概略流路図である。なお、以下では、専門医制度に基づく例について説明する。この専門医制度に基づく場合には、資格認定組織は各団体（学会、社団法人、財団法人、ＮＰＯ等）であり、認定資格は各団体毎に定められる認定医、専門医、指導医等がある。また、資格を認定する認定条件は、各資格認定組織毎に設定される。
【００３６】
本発明の資格管理システム１は、情報記憶手段２と、管理手段３とを備える。
情報記憶手段２はデータベース等で構成することができ、組織情報２ａ，管理情報２ｂ，自己申告情報２ｃ、会計情報２ｄ等の各種情報を記憶する。組織情報２ａは、資格認定組織に関する情報やその資格認定組織に属する会員に関する情報であり、資格認定組織（学会５（学会５Ａ，学会５Ｂ，…，学会５Ｘ）から入力される。管理情報２ｂは、管理手段３内において、資格取得に必要な申請料等の会計情報などの各個人又は会員の情報を一括管理するための情報や、組織情報２ａに基づいて形成される情報であり、管理情報２ｂをデータ処理すること得られる。また、自己申告情報２ｃは、会員の自己申告に基づく情報であり、各会員６（会員６Ａ，会員６Ｂ，会員６Ｃ，…）から入力される。
【００３７】
会計情報２ｄは、各個人や会員の支払い／決済情報であり、年会費、資格認定審査のための申請料、資格登録のための登録料、資格更新のための更新料、各団体が開く大会や講習や会議への参加料等の各種料金や売り上げに関する情報を含んでいる。この支払い／決済情報は、料金の支払い状況を確認する他に、各団体が開く大会や会議への参加の確認情報として使用することができる。なお、参加の確認は、いずれの個人又は会員がどの大会、講習、会議に参加したかの情報に基づいてを確認され、これらの情報は情報読み取り手段１３により取得することができる。なお、情報読み取り手段１３は、各個人又は会員に割り当てられた管理識別情報を読み取ることができ、また各大会や会議や講習に割り当てられたコードを読み取ることもできる。参加の確認情報は、データ処理されて組織情報２ａ内に記録される。
【００３８】
管理手段３は、入出力手段３ａと、認証手段３ｂと、識別情報変換手段３ｃと，データ処理手段３ｄを備える。
【００３９】
入出力手段３ａは、管理者４，学会５，会員６，利用者７，認定委員会（認定審議会）１０、決済機構１１、仲介手段１２、及び情報読み取り手段１３との間でデータの入出力を行う手段であり、認証手段３ｂは、管理者４，学会５，会員６から要求された認証要求を処理し、入出力手段３ａや識別情報変換手段３ｃに対して認証を行う。なお、利用者７（個人７Ａ，医師７Ｂ，企業７Ｃ）は、インターネット９を介して外部接続端末８と接続し、仲介手段１２に接続することができる。
【００４０】
なお、決済機構１１は、学会等へ支払う年会費、学会等の団体が開く各種大会や各種会議への参加料等の料金の支払い／決済を行う機構であり、入出力手段３ａから決済のリクエストが要求されると、承認処理を行って決済を行う。支払い／決済情報は、会計情報２ｄに記憶される。
【００４１】
また、仲介手段１２は、管理手段との情報の授受を仲介する手段であり、例えば、各団体が備える管理手段や複数の団体が共同して備える管理手段、あるいは、配信サーバや情報処理装置等で構成することができ、利用者はこの仲介手段１２を介して管理手段との間で情報の授受を行う。
【００４２】
情報読み取り手段１３は、学会等の団体が開く各種大会や各種会議に参加したことを確認するために、個人又は会員の管理識別情報を読み取る手段であり、これにより個人又は会員の識別を行う。例えば、個人又は会員が備えるカードやＩＣチップに、各個人や会員に設定された管理識別情報と各大会、講習、会議等に設定された固有の識別コードを記録しておき、情報読み取り手段１３により読み取り、管理識別情報により個人や会員と特定し、識別コードにより大会、講習、会議等を識別する。これらの情報により、何れの個人又は会員がどの大会、講習、会議に参加したかを知ることができる。
【００４３】
なお、各大会、講習、会議等に設定された固有の識別コードは、個人又は会員が備えるカードやＩＣチップにから読み取るほか、はがき等に付したバーコードから読み取ったり、各大会会場に設けた入力装置から入力させることもできる。
【００４４】
また、識別情報変換手段３ｃは、各団体毎に設定された個人／会員識別情報（例えば、会員番号）と、管理手段３内において各個人又は会員を特定する管理識別情報（例えば、管理番号）との識別情報の変換を行う機能を有し、ここで変換された管理識別情報を用いることにより、各個人又は会員が異なる複数の団体に所属している場合であっても、管理手段３内において一つの管理識別情報により特定することができる。また、識別情報変換手段３ｃは、各団体から新規に個人／会員識別情報が入力された場合には、管理手段３内において各個人又は会員を特定する管理識別情報を設定する。このとき、他の団体からの入力により既に管理識別情報が設定されている場合には、新たに入力した団体の個人／会員識別情報と既に設定されている管理識別情報との対応関係を形成し、管理手段３内においては一個人又は会員に一つの管理識別情報を設定する。
【００４５】
ここで、図２及び図３を用いて組織情報（学会情報）と管理情報の例を説明する。
【００４６】
図２は組織情報として社団法人、財団法人、学会情報の内で、特に学会情報の例を示している。学会情報は、各学会（例えば、学会Ａ，学会Ｂ，…学会Ｘ）毎に記憶される。学会情報としては、図２（ａ）に示すように、その学会に属している会員に関する会員情報、学会自体に係わる学会情報、学会が認定する資格を取得するに要する認定条件に係わる認定条件情報、資格取得の際の認定施設の係わる資格取得認定施設情報等がある。なお、資格取得認定施設は、資格を取得するために研修を行う施設であり、資格認定組織が定める。医療関係の資格認定組織では、所定の条件を満たす病院や医院等が認定施設として認定される。
【００４７】
会員情報は、会員がその会員の資格に係わる情報を公開してよいか否かの資格公開有無、その会員の資格取得に係わる資格取得情報、その会員が取得しようとしている資格に係わる資格取得状況、活動実績、大会や講習や会議への参加状況、会計情報、研究論文の評価、その他会員に係わる個人情報等を含む。なお、会計情報は、各資格の登録料や更新料、あるいは申請中の場合には、その申請料の支払い状況を含んでいる。
【００４８】
資格取得の審査において、認定条件として、活動実績や大会や講習や会議への参加状況、更新料や申請料の支払い状況が考慮される場合があり、この場合には、会員情報に記録される活動実績や参加状況や支払い状況が読み出されて参照される。また、学会や会員を認証するためのコード情報を含んでいる。
【００４９】
図２（ｂ）は資格取得情報及び資格取得状況の情報例であり、その会員が既に取得している既取得資格、あるいは過去に取得し現在は失効している資格について、その資格名、取得日、更新日、失効日等の各日時や取得施設等の情報、現在取得している資格の資格名や更新日の情報、さらに、現在取得中である資格について、その資格名、既取得単位、未取得単位、申請期限等の情報とすることができ、これによって、その会員の時系列上で資格情報を得ることができ、現在取得資格している資格の他、過去に取得していた資格や、将来取得し得る資格の情報を知ることができる。なお、これら、時系列上の資格情報は、取得状況の変化により、逐次更新される。
【００５０】
また、学会情報は、その学会の業務内容等の詳細を説明するための情報、及びその学会あるいは関連する学会の学術大会の情報等を含み、資格取得のための大会や会議への参加状況も含まれる。
【００５１】
資格取得のための認定条件としては、例えば、資格取得に要する単位やその単位数、資格取得に要する研修会に関する情報、活動実績、大会，講習，会議への参加、更新料や申請料の支払い等の会計情報や研究論文の評価があり、各団体はこれらの中から選択して認定条件を設定したり、条件の更新を行うことができる。
【００５２】
また、資格取得認定施設情報としては、図２（ｃ）に示すように、その資格を取得するために研修すべき認定施設や認定スケジュールに関する情報や認定施設コード等がある。
【００５３】
図３は管理情報として学会に係わる情報の例を示している。管理情報は、図３に示すように、会員情報、学会情報、各学会に共通する情報、統計情報、及び資格評価情報等を含み、これらの各情報は組織情報（学会情報）を用いてデータ処理することにより得ることができる。
【００５４】
会員情報は、管理手段において各会員の資格情報を一括して管理するために、各会員に設定した管理番号等の管理識別情報、及び各学会が個別の設定している会員番号（個人／会員識別情報）と管理番号（管理識別情報）との対応関係の情報を備える。会員番号と管理番号との対応関係は、例えば、テーブル形式で記憶しておくことができ、学会と会員番号を指定することで管理番号を読み出すことができ、また、逆に、管理番号を指定することで学会と会員番号を読み出すことができる。この会員識別情報を管理情報として記憶することにより、管理手段内において管理情報のみを用いて、複数の資格認定組織の情報を得ることができる。また、学会情報は、学会を特定する学会コードやその学会が認定する資格の種類コードや、資格の内容である。
【００５５】
会計情報は、各個人又は会員、あるいは各学会の支払い／決済情報を会計情報コードと共に記憶する。
【００５６】
また、各学会に共通する情報としては、認定条件や資格取得認定施設等の情報があり、認定条件コードや認定施設コードと共に記憶する。これらの各学会に共通する認定条件や認定施設を管理情報として記憶することにより、各学会毎に記憶される情報を検索することなく共通の情報を得ることができ、会員が複数の学会の資格を取得する際に、取得単位の重複を省いて単位等を無駄なく利用することができる。
【００５７】
資格統計情報は、例えば、資格取得者や志願者について、総人数や地域分布等の統計情報であり、統計情報コードと共に記録される。この資格統計情報は、利用者が認定資格を参考にする際の情報、あるいは、資格や資格者を評価する際の情報となる。
【００５８】
資格評価情報は、資格それ自体の評価と会員の評価があり、評価付けコードと共に記録される。資格自体の評価は、例えば、資格取得者の人数、志願者の人数、あるいは需要人数により定めることができ、その資格の人気度、必要数に対する供給の度合い等を表す指標となる。また、会員の評価は、その会員が現在取得している資格、その資格自体の評価で定めることができる他、その会員が過去に取得していた資格とその資格自体の評価や、その会員が取得中である資格、取得状態、その資格自体の評価を加味するようにすることもできる。
【００５９】
また、必要に応じて個人／会員情報に保持された資格認定に必要な一般活動実績、研究論文の実績等も会員評価を定めるために利用できる。
【００６０】
また、その評価算定の基準を明確化し、公表することにより、評価に対する信頼性を高めることができる。
【００６１】
過去に取得していた資格であっても、その資格に関する知識や経験があると判断することができ、また、未取得の資格であっても、取得中という状態から将来性を判断することができる。さらに、その取得状態から、取得すると思われる時期によって評価することもできる。
【００６２】
前記した管理情報は、組織情報（学会情報）に基づいてデータ処理手段３により形成される。データ処理手段３は、各学会で共通する情報を選出して共通情報として設定する設定処理の機能、会計情報から大会や会議への参加状況や料金に支払い等の認定条件を取得する機能、各種統計情報を形成する統計処理の機能、資格自体や会員の評価を行う評価処理の機能等の各種機能を備える。
【００６３】
管理手段３は入出力手段３ａによって、管理者４、各学会５，各会員６、及び利用者７との間でデータの入出力処理を行う。
【００６４】
例えば、入出力手段３ａを介することにより、学会５から管理手段３に対して、会員情報、認定資格取得情報、学会情報、認定条件、認定施設等の各情報が入力される。また、学会５や会員６から管理手段３に対して情報要求が出された場合には、管理手段３から学会５や会員６に対して要求された情報が出力される。なお、会員６からの自己申告情報は、入出力手段３ａを介して入力され、情報記憶手段２内の自己申告情報２ｃとして記憶される。
【００６５】
また、個人又は会員が、入出力手段３ａに対して資格取得のための申請料等をネットワーク上で決済を要求した場合には、入出力手段３ａから決済機構１１に決済のリクエストを要求する。決済機構１１は承認の後に決済を行い、支払い／決済情報を情報記憶手段２に送る。送られた支払い／決済情報は、必要に応じて、売り上げ情報として会計情報２ｄに記憶する。
【００６６】
図４は、自己申告情報の例を示している。自己申告情報は、認定委員会等において資格認定の審査を行う際の認定条件（単位等）として用いることができる主に業績や論文や著書等の情報であり、会員の各自が申告して情報記憶手段２に記憶する。業績の情報としては、例えば、年度、演題名、学会名、開催地、発表年月日、共同研究者等があり、また、論文や著書の情報としては、年度、題名、発表雑誌名、書名、巻、号、頁、出版年月日、単著、共著の別や分担等の情報がある。
【００６７】
データ処理手段３ｄは、組織情報２ａ（学会情報）を用いて設定処理、統計処理、評価処理等のデータ処理し、得られた処理データを管理情報２ｂとして記憶する。設定処理は、組織情報２ａ中の各学会に共通する情報（例えば、共通認定条件、共通学会認定施設）を抽出して共通情報として管理情報２ｂに設定する。統計処理は、組織情報２ａ中の各学会の情報をデータ処理し、資格取得者数、研修中に人数等の各種の統計データを形成し管理情報２ｂに記憶する。評価処理は、組織情報２ａ中の各学会の情報や会員の資格情報、活動実績、研究論文の実績をデータ処理して資格自体あるいは会員を評価する指標値を算出し、管理情報２ｂに記憶する。
【００６８】
管理者４は、入出力手段３ａを介することにより、情報記憶手段２内の情報を読み出して認定委員会１０に送信する他、管理手段３に対して種々の管理処理を行わせる指令を入力する。
【００６９】
利用者７は、主に情報記憶手段２に記憶される情報から所定の情報を読み出すことで資格情報を参照する。利用者が参照できる情報は、例えば、管理者４が情報管理を行うことにより限定することができる。この利用者の情報配信は、情報記憶手段２から公開可能な情報を外部への接続端末８（例えば、ＷＷＷサーバ）に接続することにより可能である。したがって、利用者７は、直接情報記憶手段２からではなく外部接続端末８（例えば、ＷＷＷサーバ）にアクセスすることにより情報を取得する。利用者７としては、例えば、個人７Ａ，医師７Ｂ，企業７Ｃ等がある。取得する情報は、利用者に係わらず共通とすることも、あるいは利用者毎に分けることもできる。利用者によって参照できる情報を制限する場合には、所定の情報を得ることができる利用者に対してＩＤやパスワードを設定することにより行うこともできる。
【００７０】
各利用者の利用形態としては、例えば、個人７Ａの場合には、利用しようとする地域の専門医のリストや、その専門医が取得している資格、過去に取得していた資格、将来取得する資格等の情報や、その専門医の評価や、資格審査に使われた活動実績、会員情報を参照して、専門医の選定に利用することができる。また、医師７Ｂの場合には、同じ資格を有する専門医との連絡や、異なる専門医からの意見（セカンドオピニオン等）、あるいは紹介する専門医の選出に利用することができる。
【００７１】
また、製薬や医療器具の企業７Ｃの場合には、取得している資格や、現在取得中の資格の情報に基づいて、所望とする専門医の選出など、製品販売、普及のためのマーケッティングの判断材料として利用することができる。
【００７２】
次に、情報記憶手段における情報入力、及び情報形成について、図５〜図１１を用いて説明する。なお、図５は各学会と情報記憶手段との間の情報の入出力を説明する図であり、図６は各会員と情報記憶手段との間の情報の入出力を説明する図であり、図７は会計情報の一例を示す図であり、図８は会計情報の入出力、及び参加情報の取得を説明するための図であり、図９〜図１１は組織情報（学会情報）、会員情報を用いて管理情報を形成するデータ処理形成を説明する図である。以下、（  ）内の番号は各図中に付した番号と対応している。
【００７３】
図５（ａ）は、各学会が管理手段にアクセスする場合の認証処理の動作例を示している。管理者４，学会５，会員６が管理手段３にアクセスする場合には、不正アクセスを防止するために、認証手段３ｂによって認証処理を行う。図５（ａ）は、この認証処理を学会の場合について示している。この認証処理は、管理者４や会員６によるアクセスの場合にも同様とすることができる。
【００７４】
学会５側の端末から管理手段３に対して認証要求が出されると（１）、認証手段３ｂは情報記憶手段２の管理情報２ｂから予め登録してある学会ＩＤ，パスワードを読み出して（２，３）、学会５から入力された学会ＩＤ，パスワードとの照合を行い（４）、照合結果に基づいて認証処理を行う（５）。認証が得られた場合には、認証結果を学会５側の端末に照合結果を表示させ、アクセスを許可する（６）。
【００７５】
学会からは学会情報及び各会員の情報が入力される。図５（ｂ）は学会から会員に関する情報を入力する場合の動作例であり、図５（ｃ）は学会から学会に関する情報を入力する場合の動作例である。
【００７６】
図５（ｂ）において、学会５から、会員番号と共に、会員に関する会員情報，認定資格，取得情報等が入力されると（１１）、識別情報変換手段３ｃは、情報記憶手段２中の管理情報に含まれる会員番号と管理番号との対応関係を用いて、入力された会員番号に対応する管理番号を検索する（１２，１３）。入力された会員番号に対応する管理番号がない場合には、新規の会員番号であると判断して管理番号を割り当て、割り当てた管理番号を情報記憶手段２に送る（１４）。情報記憶手段２は、送られた管理番号を元に、入力された各情報を記憶する（１６）。
【００７７】
一方、入力された会員番号に対応する管理番号がある場合には、識別情報変換手段３ｃはその管理番号を情報記憶手段２に送る（１５）。情報記憶手段２は、送られた管理番号に記憶されている情報の、入力された各情報を追加あるいは更新して記憶する（１６）。
【００７８】
図５（ｃ）において、学会５から、学会情報，資格認定に要する認定条件，認定施設等の情報が入力されると（２１）、入出力手段３ａは情報記憶手段２内に入力され情報を組織情報２ａとして記憶する（２２，２３）。
【００７９】
また、図５（ｄ）は、学会あるいは認定委員会から、情報要求された場合の動作例である。学会５から、ある会員の会員情報が要求されると（３１）、識別情報変換手段３ｃは、入力された会員番号に対応する管理番号を管理情報２ｂを用いて読み出し（３３）、読み出した管理番号を入出力手段３ａに送る（３２）。入出力手段３ａは、管理番号を用いて組織情報（学会情報）２ａあるいは管理情報２ｂから必要とする情報を読み出し（３４，３５）、情報要求した学会あるいは認定委員会に送る（３６）。学会あるいは認定委員会は、送られた情報を表示する（３７）。
【００８０】
各会員から自己申告情報を入力する場合には、図６の動作例により行うことができる。会員６側の端末から管理手段３に対して認証要求が出されると（４１）、認証手段３ｂは情報記憶手段２の管理情報２ｂから予め登録してある会員ＩＤ、パスワードを読み出して（４２，４３）、会員６から入力された会員ＩＤ、パスワードとの照合を行い（４４）、照合結果に基づいて認証処理を行う（４５）。認証が得られた場合には、認証結果を会員６側の端末に照合結果を表示させ、アクセスを許可する（４６）。
【００８１】
この認証の後、会員６から自己申告の情報が入力されると（４７）、入出力手段３ａは入力された自己申告情報を情報記憶手段２内に自己申告情報２ｃとして記憶する（４８，４９）。
【００８２】
図７は会計情報の一例を示している。例えば、学会への年会費、各会員が取得している資格、あるいは取得中の資格について、その取得に際して必要となる申請、登録、更新等のそれぞれについて支払い期日、支払い日、金額等の情報が記録される。また、団体が開く大会や講習や会議への参加費や支払い日、金額等の情報が記録される。
【００８３】
これらの支払い／決済情報は、資格審査の認定条件を判断する情報となる。例えば、大会や講習や会議に対する参加費の支払いの有無によって、大会や講習や会議への参加を確認することができる。
【００８４】
図８（ａ）は会計情報の入出力を説明するための図である。会員から入出力手段に対してネットワーク上の決済が要求されると（Ｋ１）、入出力手段は決済機構に会員の承認、及び支払い要求をリクエストする（Ｋ２）。決算機構は、このリクエストに基づいて会員の承認処理を行い、承認した後（Ｋ３）、決済処理を行う（Ｋ４）。
【００８５】
決算機構は、支払い／決済情報を情報記憶手段２に送り会計情報２ｄに記録する（Ｋ５）。データ処理手段３ｄは、会計情報２ｄから読み出したデータを加工し（Ｋ６）、組織情報に記録する（Ｋ７）。
【００８６】
この支払い／決済情報は、各種費用や参加費の支払い状況を知る情報となる他、大会や会議への参加を確認する情報となる。年会費の支払いは、学会に所属するための重要な条件であるため、認定条件の判断材料とすることができる。
【００８７】
なお、大会や講習や会議への参加を確認する情報は、参加費の支払い／決済情報を用いずに、他の情報から得ることもできる。図８（ｂ）は、各会員が保持する記録媒体（カードやＩＣチップ等）から、各個人／会員に割り当てられた管理識別情報や大会，講習，会議に割り当てられた識別コードを読み取ることにより参加確認を行う例である。
【００８８】
大会や会議に参加した会員は（Ｋ１１）、大会会場や会議場において本人であるかの識別を要求されると（Ｋ１２）、読み取り手段に管理識別情報と識別コードを読み取らせる。読み取り手段は、読み取った管理識別情報と識別コードに基づいて認証手段に承認要求を行う（Ｋ１３）。認証手段は、管理識別情報と識別コードに基づいて認証処理を行い（Ｋ１４）、認証された場合には、情報記憶手段２の組織情報に記憶する（Ｋ１５）。
【００８９】
管理識別情報及び識別コードの記録媒体は任意とすることができ、例えば、カードに設けた磁気コード、ＩＣチップを用いることができる。また、読み取り手段も記録媒体に応じた任意の手段とすることができる。
【００９０】
なお、大会、講習、会議等を特定する識別コードは、各個人／会員が持つカードやイＩＣチップに記録する他、各個人／会員に配布するはがきに印刷したバーコードにより記録することができる。また、各大会、講習、会議等の会場に設置した入力手段から入力することもできる。また、入力手段からの識別コードの入力は、各個人／会員の操作で行うことも、あるいは、管理者が行うこともできる。
【００９１】
次に、データ処理手段３ｄが行う各処理例を、図９〜図１１を用いて説明する。図９は、組織情報（学会情報）２ａを用いて、各学会間で共通する項目を管理情報２ｂに設定する処理を示している。設定する共通項目として、例えば共通認定条件、共通認定施設がある。図９（ａ）は共通認定条件を設定する動作例を示している。データ処理手段３ｄは、各学会が設定する認定条件を情報記憶手段２の組織情報（学会情報）２ａに要求して（５１）、組織情報（学会情報）２ａから各学会の認定条件を読み出し（５２）、読み出した認定条件に基づいて共通する認定条件を抽出する（５３）。抽出した共通認定条件は、情報記憶手段２内に管理情報２ｂとして記憶する（５４）。
【００９２】
また、図９（ｂ）は共通認定施設を設定する動作例を示している。データ処理手段３ｄは、各学会が設定する認定施設を情報記憶手段２の組織情報（学会情報）２ａに要求して（６１）、組織情報２ａ（学会情報）から各学会の認定施設を読み出し（６２）、読み出した認定施設に基づいて共通する認定施設を抽出する（６３）。抽出した共通認定施設は、情報記憶手段２内に管理情報２ｂとして記憶する（６４）。
【００９３】
図１０は、組織情報（学会情報）２ａを用いて、統計情報を得る処理を示している。図１０は、統計情報として資格者情報を得る処理例を示している。データ処理手段３ｄは、各学会が認定する資格者の情報を情報記憶手段２の組織情報（学会情報）２ａに要求して（７１）、組織情報２ａ（学会情報）から各学会の資格者情報を読み出し（７２）、読み出した資格情報に基づいて統計処理を行う（７３）。統計処理の結果は、情報記憶手段２内に管理情報２ｂとして記憶する（７４）。資格者情報としては、例えば、過去、現在の資格者数の変化や将来の予想、地域別の資格者の分布等、各種設定することができる。
【００９４】
図１１は、組織情報（学会情報）２ａを用いて、評価情報を得る処理を示している。図１１（ａ）は、資格自体の評価を得る処理例であり、図１１（ｂ）は、会員の評価を得る処理例である。
【００９５】
図１１（ａ）において、資格自体の評価を得る場合には、データ処理手段３ｄは、各学会の学会情報を情報記憶手段２の組織情報（学会情報）２ａに要求して（８１）、組織情報２ａ（学会情報）から各学会の資格者数や、志願者数等の情報を読み出し（８２）、読み出した情報に基づいて評価処理を行う（８３）。評価情報は、情報記憶手段２内に管理情報２ｂとして記憶する（８４）。
【００９６】
資格自体の評価は、種々に設定することができ、例えば、学会の全会員数に対する資格者の比率や、資格希望者（例えば志願者）に対する合格者の比率（合格率）や、医療機関から求められる資格者数等に基づいて設定することができる。
【００９７】
図１１（ｂ）において、会員の評価を得る場合には、データ処理手段３ｄは、各会員の資格情報を情報記憶手段２の組織情報（学会情報）２ａに要求して（９１）、組織情報２ａ（学会情報）から会員の資格情報を読み出し（９２）、読み出した情報に基づいて評価処理を行う（９３）。評価情報は、情報記憶手段２内に管理情報２ｂとして記憶する（９４）。
【００９８】
会員の評価は種々に設定することができ、例えば、現在取得している資格や、過去に取得していた資格、あるいは将来取得する資格に基づいて設定が行えたり、活動実績や研究論文の実績から評価が行える。
【００９９】
上記した管理情報は、管理者や認定委員会等の情報を参照する者に応じた表示形態で、各端末に表示することができる。図１２は管理者用の表示例を示し、図１３は認定委員会用の表示例を示している。なお、管理者用の表示画面上でデータの編集が行えるものとする。
【０１００】
図１２に示す表示例は各会員の資格情報であり、既取得の認定資格の他、現在取得中の資格の認定単位情報が表示される。認定単位情報としては、教育研修会とその認定単位、業績発表の事項とその認定単位、論文・著書の事項とその認定単位が表示される。これらの各事項及び認定単位は、資格認定に要する認定条件に関連するものである。この他、会計情報、会員の活動実績、論文評価に関する情報が表示される。
【０１０１】
また、図１３に示す表示例は各会員の資格情報であり、認定委員会が資格の認定判断に用いる資料とするものである。この表示には、会員の資格履歴の他、取得単位の状況、教育研修会の内容の他、他学会の認定単位情報も表示する。他学会の認定単位情報は、共通に認定することができる単位であり、前記した設定処理によって、異なる学会の間で形成した共通情報に基づいている。取得単位の状況には、資格認定に必要な残りの単位数も表示することができる。この他、会計情報や会員の活動実績や論文の評価に関する情報が表示される。
【０１０２】
次に、会員用の情報について、図１４〜図１６を用いて説明する。
【０１０３】
図１４は、会員用に用意する情報例である。この会員用の情報は、組織情報（学会情報）２ａ及び管理情報２ｂから抽出して形成することができる。
【０１０４】
図１４（ａ）は、各会員の資格を時系列で表示しており、各学会の会員番号及び入学会履歴と共に、現在及び過去の取得資格に関する資格履歴情報、取得認定施設の情報、及び資格公開の認否情報と、現在取得中の資格に関して既取得単位や未取得単位等の情報が表示される。図１４（ｃ）は、図１４（ａ）の一例であり、会員が学会Ａと学会Ｂの二つの学会に属している場合に、それぞれの学会での資格情報を示している。また、図１４（ｂ）には、他の学会との間で共通に認定される恣意取得認定施設の情報が表示される。
【０１０５】
また、図１４（ｄ）は、会員の評価情報の表示例であり、各学会における評価、活動実績、総合評価を示している。
【０１０６】
図１５は、会員が各自の資格情報を入手する場合の動作例を示している。会員から情報要求が出されると（１０１）、認証手段３ｂは、管理情報２ｂ中のパスワードや会員ＩＤを元に認証を行い（１０２，１０３）、認証が得られた場合には、識別情報変換手段３ｃにより、会員ＩＤから管理番号を読み出す（１０４）。
【０１０７】
入出力手段３ａは、識別情報変換手段３ｃからの管理番号と要求情報に基づいて管理情報２ｂ、組織情報（学会情報）２ａ，自己申告情報２ｃに各情報を要求し（１０６，１０７）、読み出した情報を会員の端末に送る（１０８）。会員の端末は、送られた情報を表示する（１０９）。
【０１０８】
図１６は、会員の端末に表示される認定単位の表示画面例である。表示画面には、認定資格の履歴や期限の他、現在取得中の資格について、既に取得した単位及び単位数の他、不足している単位とその単位数が表示される。また、必要があれば、資格取得に要する認定施設情報や、他の学会との間で共通に認定される単位や認定施設の情報を表示することもできる。また、活動実績についても表示される。この表示により、会員は、現在取得している資格の更新時期を把握することができる他、取得中の資格がある場合には、その取得状況を知ることができる。
【０１０９】
次に、利用者用の情報について、図１７〜図２０を用いて説明する。
【０１１０】
図１７は、利用者が、認定資格の情報を利用する場合の動作例を示している。図１７（ａ）は資格者の情報を参照する場合の動作例であり、図１７（ｂ）は各資格における統計情報や評価を参照する場合の動作例である。
【０１１１】
図１７（ａ）において、利用者から資格者情報が要求されると（１１１）、入出力手段３ａは、利用者が要求する条件に基づいて資格者リストを形成する条件を設定する。利用者が要求する条件としては、例えば、学会や専門医の種類、地域等が考えられる（１１２）。情報記憶手段２は、資格者リストの条件に従って、管理情報２ｂから資格者情報を読み出して（１１３）資格者リストを形成し（１１４）、利用者の端末に表示させる（１１５）。利用者は、この資格者リストを閲覧し、参照したい資格者を選択し、その資格者の情報を要求する（１１６）。
【０１１２】
入出力手段３ａは、要求された資格者を管理番号に基づいて特定し、要求された情報を、管理情報２ｂ，組織情報（学会情報）２ａ，自己申告情報２ｃに要求し（１１７）、要求した情報を読み出して（１１８，１１９）、利用者の端末に表示させる（１１１）。
【０１１３】
図１７（ｂ）において、利用者から統計情報や評価情報が要求されると（１２１）、入出力手段３ａは、情報記憶手段２の管理情報２ｂに所定の情報を要求して（１２２，１２３）、要求情報を読み出し（１２４）、利用者の端末に表示させる（１２５）。なお、提供する情報は予め管理情報２ｂとして記憶しておき、情報項目を利用者が参照できる情報としてメニュー等の用意しておく。
【０１１４】
図１８は、利用者用に予め用意する情報例である。図１８（ａ）は学会情報であり、その学会の内容や認定する資格を含んでいる。図１８（ｂ）は資格情報の詳細情報であり、資格の内容、資格者数、資格者索引等とすることができる。なお、資格情報に載せる情報は、学会や管理者により任意に設定することができる。
【０１１５】
図１８（ｃ）は会員情報の一例であり、Ａ学会とＢ学会の二つの学会に所属する会員の場合を示している。Ａ学会における会員番号や入会履歴の情報、現在及び過去の取得資格に関する情報、及び取得中の資格に関する情報とすることができる。
【０１１６】
また、図１８（ｄ）は、会員の評価情報の表示例であり、各学会における評価と総合評価、活動実績等を示している。
【０１１７】
なお、管理情報２ｂ，組織情報（学会情報）２ａ，自己申告情報２ｃに対して、利用者への公開あるいは非公開を予め設定しておき、非公開の情報については、データの読み出しを禁止したり、利用者が要求できる情報項目に載せないように、管理者により設定が可能である。
【０１１８】
図１９は、利用者の端末に表示される認定単位の表示画面例である。表示画面には、現在取得している資格や過去に取得していた資格について、その資格名や取得年月日等の情報が表示され、また取得中の資格について、その資格名や取得状況の情報が表示される。なお、公開する情報の詳細は、学会、会員、及び管理者により定める。また、開示する情報を、利用者により区分するようにしてもよい。
【０１１９】
この表示により、利用者は、現在取得している資格の更新時期を把握することができる他、取得中の資格がある場合には、その取得状況を知ることができる。
【０１２０】
また、図２０は、利用者の端末に表示される資格情報を総合的に表示する表示画面例である。表示画面には、例えば、有資格者情報として資格名とその有資格者数や地域分布、複数の資格を保有する者の情報として資格の組合せとその有資格者数や地域分布が表示され、資格認定組織情報として組織名、認定する資格種、認定施設の情報等が表示される。
【０１２１】
また、他に、資格情報として資格の概要を表示したり、資格取得難易度情報として取得者数や取得希望者や需要人数等が表示される。また、資格評価情報を表示することもできる。なお、評価画面に表示する表示内容は、学会や管理者により定めることができる。また、資格認定の審査に利用された会員の活動実績、論文発表内容も公開が可能となる。
【０１２２】
また、本発明の態様によれば、大会、講習、会議への参加確認と参加費用の支払いを管理することができる。以下、この参加確認と参加費用の支払いの管理について図２１を用いて説明する。
【０１２３】
図２１では、利用者が大会、講習、会議の各会場に出席した際の処理構成を例として示している。利用者は、各会場に設置した情報読み取り手段１３を介して、大会、講習、会議への参加確認と参加費用の支払いを行う。情報読み取り手段１３は各利用者の会員ＩＤと金融機関コードの情報を読み取り、管理手段３はこの会員ＩＤの情報に基づいて参加処理を行い、金融機関コードの情報に基づいて参加費用の支払い処理を行う。
【０１２４】
情報読み取り手段１３は、例えば各利用者が持つカード１４に記録される情報を読み取るカードリーダ１３Ａとすることができる。カード１４は、銀行や信販会社等の金融機関が発行するカードを利用することができ、金融機関が各利用者を識別するために発行する金融機関コードや、学会等の団体が各利用者に付与する会員ＩＤや、大会、講習、会議を特定する識別コード等の情報を、磁気媒体やＩＣメモリに記録する。なお、識別コードは大会、講習、会議等毎に個別に設定され、カード１４の記録媒体に予め記録しておく。この記録媒体への記録は、カードの発行時や更新時に記録して各利用者に送付する他、発行済みのカードに対しては書き込み装置により行うこともできる。また、カード１４がネットワークに接続される情報端末との間でデータ交換を行うことができる場合には、ネットワークを介して識別コードを記録することもできる。
【０１２５】
また、識別コードは必ずしもカード１４に記録する必要はなく、他の手段により入力することができる。例えば、情報読み取り手段１３として、バーコードリーダ１３Ｂや入力端末１３Ｃを備え、バーコードリーダ１３Ｂによってハガキ等の印刷物に印刷されたバーコードを読み取って識別コードを入力したり、入力端末１３Ｃから大会、講習、会議の識別コードあるいは名称を入力又は選択することにより、識別コードの入力を行う。
【０１２６】
これにより、情報読み取り手段１３は、利用者の各学会などの団体に設定される会員ＩＤや参加する大会、講習、会議の識別コード等の情報を取得する他、利用者が支払いに利用する金融機関が発行する金融機関コードの情報を取得する。
【０１２７】
管理手段３は、利用者の大会、講習、会議等への参加を管理するために、会員ＩＤ−管理識別情報変換手段３Ａ（以下変換手段３Ａという）と、参加処理手段３Ｂを備え、大会、講習、会議等への参加費用の支払いを管理するために、コード照合手段３ｄと、会計処理手段３Ｅと、必要に応じて金融機関コード照合データ３Ｆを備える。
【０１２８】
はじめに、利用者の大会、講習、会議等への参加管理について説明する。変換手段３Ａは、情報読み取り手段１３から各利用者の会員ＩＤの情報を入力する。会員ＩＤは、利用者が登録している学会等の各団体毎に設定されているため、管理手段３において各団体と独立して一括して管理するために、管理手段３が設定する管理識別情報に変換する。
【０１２９】
参加処理手段３Ｂは、変換手段３Ａからこの管理識別情報を取得し、この管理識別情報により利用者を特定する。また、参加処理手段３Ｂは識別コードを入力し、利用者が参加する大会、講習、会議等を特定する。このように、参加処理手段３Ｂは、管理識別情報により利用者を特定し、識別コードにより利用者が参加する大会、講習、会議等を特定することにより、参加処理を行う。
【０１３０】
なお、識別コードは、情報読み取り手段１３から入力する他、大会、講習、会議等の各会場側に識別コード３Ｃを記録しておき、参加処理手段３Ｂに入力することもできる。これによれば、利用者による入力を省略することができる。
【０１３１】
次に、利用者の大会、講習、会議等に対する参加費用の支払いについて説明する。なお、ここでは、利用者が持つ金融機関カードを利用して参加費用を支払う例について説明する。
【０１３２】
コード照合手段３Ｄは、情報読み取り手段１３から金融機関コードを取得し、その金融機関コードの照合を行う。コード照合は、金融機関２０との間のデータ交換で行う他、管理手段３側に予め金融機関コードの照合データ３Ｆを取り込んでおき、この照合データ３Ｆを用いて行うこともできる。照合データ３Ｆを利用する場合には、照合時間を短縮することができる。
【０１３３】
コード照合手段３Ｄにおいて金融機関コードの照合が確認された場合には、会計処理手段３Ｅは、各利用者の大会、講習、会議等に対する参加費用の支払いを処理する。このとき、会計処理手段３Ｅは識別管理情報及び識別コードを取得することで、利用者及び参加する大会、講習、会議を特定する。この後、会計処理手段３Ｅは、金融機関２０との間で参加費の引き落とし処理を行う。参加処理手段３Ｂ及び会計処理手段３Ｅで処理した処理データは、情報記憶手段２の各情報に記録される。
【０１３４】
なお、大会、講習、会議の参加に際して参加費用を要さない場合には、参加処理手段３Ｂの処理のみ行い、会計処理手段３Ｅによる処理は省略する。
【０１３５】
なお、カード１４に、複数の金融機関が設定され、各金融機関に対して異なる団体の会員ＩＤが設定された場合には、金融機関と会員ＩＤとを対応づけておき、参加する大会、講習、会議の識別コードから使用する会員ＩＤを特定し、さらにこの会員ＩＤから利用する金融機関を特定することで行うことができる。
【０１３６】
この態様によれば、管理手段が一括して管理する識別管理情報を用いることにより、各利用者が登録する団体や利用する金融機関が異なる場合であっても、参加確認や参加費用の支払いを行うことができる。
【０１３７】
本発明によれば、複数の資格認定組織の情報を記憶すると共に、共通する情報を記憶することにより、また、複数の資格認定組織に属する会員を一つの識別情報で管理することにより、複数の資格認定組織の情報の一括管理が可能となり、これにより、複数の認定資格の取得及び管理を容易に行うことができる。
【０１３８】
また、資格認定組織間において行われる、専門医を取得するに要する単位や認定施設（研修機関）の研修を共通化に対して共通の情報を形成して記憶することにより、異なる資格認定組織間の単位や研修の処理を、各資格認定組織毎に処理する異なく一つの処理で行うことができる。
【０１３９】
また、資格者（専門医）を利用する利用者にとっても、異なる資格認定組織（学会）毎に情報を検索する必要がなく、必要とする資格者（専門医）の選択が容易となる。
【０１４０】
また、資格や資格者を評価する指標が示されれるため、複数の資格間の比較や、複数の資格者間の比較が容易となる。また、その評価基準を示すことで、評価の信頼性を得ることができる。
【０１４１】
【発明の効果】
以上説明したように、本発明の資格管理システムによれば、資格管理を容易に行うことができ、複数の認定資格や有資格者からの選択を容易とすることができる。
【図面の簡単な説明】
【図１】本発明の資格管理システムを説明するための概略流路図である。
【図２】本発明の組織情報（学会情報）の例を説明するための図である。
【図３】本発明の管理情報の例を説明するための図である。
【図４】本発明の自己申告情報の例を説明するための図である。
【図５】本発明の各学会と情報記憶手段との間の情報の入出力を説明する図である。
【図６】本発明の各会員と情報記憶手段との間の情報の入出力を説明する図である。
【図７】本発明の会計情報の一例を示す図である。
【図８】本発明の会計情報の入出力、及び参加情報の取得を説明するための図である。
【図９】本発明の、共通する項目を設定する処理を説明する図である。
【図１０】本発明の、統計情報を得る処理を説明する図である。
【図１１】本発明の、評価情報を得る処理を説明する図である。
【図１２】本発明において、管理者用の表示例である。
【図１３】本発明において、認定委員会用の表示例である。
【図１４】本発明において、会員用に用意する情報例である。
【図１５】本発明において、会員が各自の資格情報を入手する場合の動作例を示す図である。
【図１６】本発明において、会員の端末に表示される認定単位の表示画面例を示す図である。
【図１７】本発明において、利用者用に予め用意する情報例を示す図である。
【図１８】本発明において、利用者用に予め用意する情報例を示す図である。
【図１９】利用者の端末に表示される認定単位の表示画面例を示す図である。
【図２０】利用者の端末に表示される資格情報を総合的に表示する表示画面例を示す図である。
【図２１】参加確認と参加費用の支払いの管理を説明する一構成例を説明するための概略ブロック図である。
【符号の説明】
１…資格管理システム
２…情報記憶手段
２ａ…組織情報
２ｂ…管理情報
２ｃ…自己申告情報
３…管理手段
３ａ…入出力手段
３ｂ…認証手段
３ｃ…識別情報変換手段
３ｄ…データ処理手段
３Ａ…変換手段
３Ｂ…参加処理手段
３Ｃ…識別コード
３Ｄ…コード照合手段
３Ｅ…会計処理手段
３Ｆ…金融機関コード照合データ
４…管理者
５，５Ａ，５Ｂ，５Ｘ…学会
６，６Ａ，６Ｂ，６Ｃ…会員
７…利用者
８…外部接続端末
９…インターネット
１０…認定委員会
１１…決済機構
１２…仲介手段
１３…情報読み取り手段
１３Ａ…カードリーダ
１３Ｂ…バーコードリーダ
１３Ｃ…入力端末
１４…カード
１５…ハガキ
２０…金融機関
【図１】
2005018365.tif 000003
【図２】
2005018365.tif 000004
【図３】
2005018365.tif 000005
【図４】
2005018365.tif 000006
【図５】
2005018365.tif 000007
【図６】
2005018365.tif 000008
【図７】
2005018365.tif 000009
【図８】
2005018365.tif 000010
【図９】
2005018365.tif 000011
【図１０】
2005018365.tif 000012
【図１１】
2005018365.tif 000013
【図１２】
2005018365.tif 000014
【図１３】
2005018365.tif 000015
【図１４】
2005018365.tif 000016
【図１５】
2005018365.tif 000017
【図１６】
2005018365.tif 000018
【図１７】
2005018365.tif 000019
【図１８】
2005018365.tif 000020
【図１９】
2005018365.tif 000021
【図２０】
2005018365.tif 000022
【図２１】
2005018365.tif 000023